(57)【特許請求の範囲】
【請求項１】
検体を供給されたクロマトグラフィー試験片における分析対象物の状態を検知するクロマトグラフィー分析装置において、
前記クロマトグラフィー試験片は、
検体を展開可能なシート状に形成されるとともに、当該検体中の分析対象物、或いは当該分析対象物を含む複合物を特異的に捕捉して固定する固定領域が設けられた膜部材と、
前記膜部材における一方の面に当接して当該膜部材を支持する支持部材と、
を備え、
当該クロマトグラフィー分析装置は、
前記膜部材における他方の面のうち、少なくとも前記固定領域に励起光を照射する光源と、
前記励起光に起因して発生する蛍光を検出する検出手段と、
前記膜部材に検体が展開された後、前記検出手段が蛍光を検出するまでの間に、当該膜部材に含まれる液体を気化させる気化手段と、
を備えることを特徴とするクロマトグラフィー分析装置。
【請求項２】
請求項１記載のクロマトグラフィー分析装置において、
前記気化手段は、
前記支持部材を、当該支持部材に対して前記膜部材とは反対の側から加熱することで、前記膜部材に含まれる液体を気化させることを特徴とするクロマトグラフィー分析装置。
【請求項３】
請求項１記載のクロマトグラフィー分析装置において、
前記気化手段は、
前記膜部材における前記他方の面に風を当てることで、当該膜部材に含まれる液体を気化させることを特徴とするクロマトグラフィー分析装置。
【請求項４】
検体を供給されたクロマトグラフィー試験片における分析対象物の状態を検知するクロマトグラフィー分析方法において、
前記クロマトグラフィー試験片として、
検体を展開可能なシート状に形成されるとともに、当該検体中の分析対象物、或いは当該分析対象物を含む複合物を特異的に捕捉して固定する固定領域が設けられた膜部材と、
前記膜部材における一方の面に当接して当該膜部材を支持する支持部材と、
を備えるものを用い、
当該クロマトグラフィー分析方法は、
前記膜部材における他方の面のうち、少なくとも前記固定領域に励起光を照射する照射工程と、
前記励起光に起因して発生する蛍光を検出する検出工程と、
前記膜部材に検体が展開された後、前記検出工程までの間に、当該膜部材に含まれる液体を気化させる気化工程と、
を備えることを特徴とするクロマトグラフィー分析方法。
【請求項５】
請求項４記載のクロマトグラフィー分析方法において、
前記気化工程では、
前記支持部材を、当該支持部材に対して前記膜部材とは反対の側から加熱することで、前記膜部材に含まれる液体を気化させることを特徴とするクロマトグラフィー分析方法。
【請求項６】
請求項４記載のクロマトグラフィー分析方法において、
前記気化工程では、
前記膜部材における前記他方の面に風を当てることで、当該膜部材に含まれる液体を気化させることを特徴とするクロマトグラフィー分析方法。
【発明の詳細な説明】
【技術分野】
【０００１】
本発明は、クロマトグラフィー分析装置及びクロマトグラフィー分析方法に関するものである。
【背景技術】
【０００２】
成人病・腫瘍などの疾患マーカやウィルス・細菌の検体検査では、従来、省力化によるコスト削減の観点から専ら大規模病院や検査センタに設置された集中検査装置が利用されてきた。ところが、９０年代後半に抗インフルエンザウィルス薬が開発され、診療現場においてウィルス種を同定し、その場で抗ウィルス薬を処方する迅速性が必要になった。この要求に、簡便性と一定の感度を備えた安価なイムノクロマト法が応え、急速に普及した。現場における検査（ＰＯＣＴ；Ｐｏｉｎｔｏｆ Ｃａｒｅ Ｔｅｓｔｉｎｇ）は、感染症をはじめ心筋梗塞などの生活習慣病の予防、治療などの分野において、将来にわたる拡大が予想され、イムノクロマトはＰＯＣＴの有力デバイスのひとつとして期待されている。【０００３】
このようなイムノクロマト法には、板状のクロマトグラフィー試験片が用いられている。クロマトグラフィー試験片には、上方に開口したケースと、当該ケース内に収容されたメンブレンシート（膜部材）とが具備されている。メンブレンシートには、検体中の抗原（分析対象物）と色素標識抗体との免疫複合体を特異的に捕捉する抗原特異的抗体が固定化された固定領域が短冊状に設けられている。【０００４】
このようなクロマトグラフィー試験片においては、一端に液状の検体が滴下されると、色素標識抗体と抗原との結合が促された後、毛細管現象により免疫複合体と色素標識抗体がクロマトグラフィー試験片上を他端に向かって移動する結果、固定領域で免疫複合体が捕捉されるので、当該固定領域の呈色を光学的に検出することによって、分析対象物が定性的あるいは定量的に検出される。【０００５】
ところで、以上のようなイムノクロマト法には、遺伝子増幅法（ＰＣＲ法）と比較して、分析対象物の検出感度が低いという問題がある。【０００６】
この点、試薬の開発や測定方法の改良などのアプローチによって高感度化を図ることも考えられるが、既に用いられているイムノクロマト法の構成（特にメンブレンシート内に検体を展開させつつ分析対象物を固定領域に固定して検出する構成）を大きく変更することは好ましくない。そのため、近年、高感度化の手法として、溶液の展開速度を上げることで検出感度を高めつつ測定時間を短縮する手法が提案されている（例えば特許文献１参照）。
【先行技術文献】
【特許文献】
【０００７】
【特許文献１】国際公開第２００８／０４１７７３号パンフレット
【発明の概要】
【発明が解決しようとする課題】
【０００８】
しかしながら、上記特許文献１の技術では、流速が高くなることによって抗原抗体反応が起こり難くなり、感度が低下する場合があるため、確実に検出感度を高めることはできない。【０００９】
そこで、本発明は以上のような事情に鑑みてなされたものであり、分析対象物の検出感度を確実に高めることのできるクロマトグラフィー分析装置及びクロマトグラフィー分析方法を提供することを目的とするものである。
【課題を解決するための手段】
【００１０】
上記課題を解決するため、本発明の第１の側面によれば、
検体を供給されたクロマトグラフィー試験片における分析対象物の状態を検知するクロマトグラフィー分析装置において、
前記クロマトグラフィー試験片は、
検体を展開可能なシート状に形成されるとともに、当該検体中の分析対象物、或いは当該分析対象物を含む複合物を特異的に捕捉して固定する固定領域が設けられた膜部材と、
前記膜部材における一方の面に当接して当該膜部材を支持する支持部材と、
を備え、
当該クロマトグラフィー分析装置は、
前記膜部材における他方の面のうち、少なくとも前記固定領域に励起光を照射する光源と、
前記励起光に起因して発生する蛍光を検出する検出手段と、
前記膜部材に検体が展開された後、前記検出手段が蛍光を検出するまでの間に、当該膜部材に含まれる液体を気化させる気化手段と、
を備えることを特徴とする。【００１１】
また、本発明の第２の側面によれば、
検体を供給されたクロマトグラフィー試験片における分析対象物の状態を検知するクロマトグラフィー分析方法において、
前記クロマトグラフィー試験片として、
検体を展開可能なシート状に形成されるとともに、当該検体中の分析対象物、或いは当該分析対象物を含む複合物を特異的に捕捉して固定する固定領域が設けられた膜部材と、
前記膜部材における一方の面に当接して当該膜部材を支持する支持部材と、
を備えるものを用い、
当該クロマトグラフィー分析方法は、
前記膜部材における他方の面のうち、少なくとも前記固定領域に励起光を照射する照射工程と、
前記励起光に起因して発生する蛍光を検出する検出工程と、
前記膜部材に検体が展開された後、前記検出工程までの間に、当該膜部材に含まれる液体を気化させる気化工程と、
を備えることを特徴とする。
【発明の効果】
【００１２】
本発明によれば、分析対象物の検出感度を確実に高めることができる。
【図面の簡単な説明】
【００１３】
【図１】クロマトグラフィー試験片の外観構成を示す図である。
【図２】クロマトグラフィー試験片の内部構成を示す図である。
【図３Ａ】クロマトグラフィー分析装置の概略構成を示す模式図である。
【図３Ｂ】クロマトグラフィー分析装置の概略構成を示す模式図である。
【図４Ａ】メンブレンシートが濡れた状態で、２種類の検体溶液について分析対象物の検出を行った結果を示す図である。
【図４Ｂ】メンブレンシートが濡れていない状態で、２種類の検体溶液について分析対象物の検出を行った結果を示す図である。
【図５】分析処理を示すフローチャートである。
【図６】変形例におけるクロマトグラフィー分析装置の内部構成を示す図である。
【発明を実施するための形態】
【００１４】
以下、本発明を図示の実施の形態に基づいて説明するが、本発明は該実施の形態に限られない。なお、図中、同一あるいは同等の部分には同一の番号を付与し、重複する説明は省略する。
【００１５】
（１．クロマトグラフィー試験片）
始めに、本実施の形態におけるクロマトグラフィー試験片について、図１を用いて説明する。
図１はクロマトグラフィー試験片（以下、試験片とする）２の外観構成の一例を示す上面図である。
【００１６】
この図に示すように、試験片２は、検体溶液Ｋ（図２参照）を展開させる方向（以下、展開方向Ａとする）に長尺な矩形板状のケース２０と、当該ケース２０内に収容されたシート部３とを備えている。ここで、検体溶液Ｋを展開させるとは、検体溶液Ｋを行き渡らせることを言う。
【００１７】
ケース２０は、上面の一端部に試料添加窓２１を有するとともに、上面の中央部に開口窓２２を有している。
【００１８】
試料添加窓２１は、検体溶液Ｋ（図２参照）をシート部３に供給するための開口である。また、開口窓２２は、シート部３における後述の固定領域３１（図２参照）を外部に露出させるための開口である。
【００１９】
シート部３は、図２に示すように、展開方向Ａに長尺なメンブレンシート３０を有している。
メンブレンシート３０は、本発明における膜部材であり、検体を展開可能なシート状に形成されている。このメンブレンシート３０は、ニトロセルロース等によって形成されている。
【００２０】
このメンブレンシート３０における展開方向Ａの中途部には、検体溶液Ｋ中の分析対象物（例えばウイルスなどの抗原）、或いは当該分析対象物を含む複合物を特異的に捕捉して固定する固定領域３１が設けられている。この固定領域３１には、分析対象物と色素標識抗体との免疫複合体を特異的に捕捉する抗原特異的抗体が配設されている。但し、分析対象物を特異的に補足する物質が固定領域３１に配設されることとしても良い。なお、以下の説明では、メンブレンシート３０のうち、固定領域３１とは異なる領域を非固定領域３００として説明する。
このメンブレンシート３０は、検体溶液Ｋによって濡れると、後述の励起光Ｌ１や蛍光Ｌ２などの光の透過性が高まるようになっている。
【００２１】
以上のメンブレンシート３０の上面における一端部（展開方向Ａの上流側）には、サンプルパッド３２が設けられ、他端部（展開方向Ａの下流側）には吸収パッド３３が設けられている。
【００２２】
このうち、サンプルパッド３２は、検体溶液Ｋが滴下されて供給される部分である。また、吸収パッド３３は、サンプルパッド３２に滴下された検体溶液Ｋを吸収することにより、当該検体溶液Ｋを毛細管現象によって展開方向Ａに流させる部分である。
【００２３】
サンプルパッド３２に対して展開方向Ａの下流側には、コンジュゲートパッド（図示せず）が配設されている。このコンジュゲートパッドは、検体溶液Ｋ中に含まれる分析対象物と結合する色素標識抗体を含んでおり、サンプルパッド３２から供給される検体溶液Ｋを展開方向Ａの下流側に移動させつつ、検体溶液Ｋ内の分析対象物を色素標識抗体と結合させるようになっている。
【００２４】
また、メンブレンシート３０の下部には、支持シート３５が配設されている。この支持シート３５は、本発明における支持部材であり、メンブレンシート３０における下面に当接して当該メンブレンシート３０を下方から支持するとともに、メンブレンシート３０の反りや波打ちを防止するようになっている。また、この支持シート３５は、検体溶液Ｋの下方への漏れを防止することにより、検体溶液Ｋをメンブレンシート３０内に押し留め、メンブレンシート３０内で展開させるようになっている。以上の支持シート３５は、ポリエステルやポリ塩化ビニル等のラミネートフィルムによって形成されている。なお、このような支持シート３５の材料は、メンブレンシート３０の材料（ニトロセルロース等）よりも蛍光を生じさせ易い性質を有している。
【００２５】
ここで、以上の試験片２においては、メンブレンシート３０に励起光Ｌ１が当たると、蛍光Ｌ２が生じるようになっている。この蛍光Ｌ２には、メンブレンシート３０が励起されて生じる自家蛍光Ｌ２（１）と、励起光Ｌ１がメンブレンシート３０を透過して支持シート３５に到達する結果、当該支持シート３５が励起されて生じる自家蛍光Ｌ２（２）とが含まれる。更に、メンブレンシート３０の固定領域３１に励起光Ｌ１が当たる場合であって、固定領域３１に分析対象物が存在する場合には、当該分析対象物が励起されて生じる蛍光Ｌ２（０）が蛍光Ｌ２に含まれる。なお、本実施の形態においては、メンブレンシート３０が励起されて生じる自家蛍光Ｌ２（１）には、メンブレンシート３０上に残存した色素標識抗体が励起されて生じる蛍光が含まれる。
【００２６】
これらの自家蛍光Ｌ２（１），Ｌ２（２）及び蛍光Ｌ２（０）のうち、自家蛍光Ｌ２（１）の光量は常にほぼ一定である。また、蛍光Ｌ２（０）の光量は、分析対象物の量が等しい限りにおいて、常にほぼ一定である。一方、自家蛍光Ｌ２（２）の光量は、メンブレンシート３０が濡れている場合の方が、濡れていない場合よりも顕著に大きくなる。これは、メンブレンシート３０が濡れることにより、当該メンブレンシート３０において励起光Ｌ１や蛍光Ｌ２などの光の透過性が高まるためである。
【００２７】
なお、以上のような試験片２としては、従来より公知のクロマトグラフィー試験片を用いることができる。
【００２８】
（２．クロマトグラフィー分析装置）
続いて、本発明に係るクロマトグラフィー分析装置の構成について、図３Ａ，図３Ｂを用いて説明する。
図３Ａ，図３Ｂはクロマトグラフィー分析装置１の概略構成の一例を示す模式図である。
【００２９】
これらの図に示すように、クロマトグラフィー分析装置１００は、試験片２上における分析対象物の状態を検知するものであり、筐体８の内部に、走査装置５と、光源１０と、ラインセンサ４と、気化装置６と、制御部９等とを備えている。
【００３０】
筐体８は、箱状の部材であり、側面に挿入口８０を有している。この挿入口８０は、クロマトグラフィー分析装置１に対して試験片２を挿入したり、クロマトグラフィー分析装置１内の試験片２を排出したりするための開口部である。なお、挿入口８０には開閉可能な蓋部材が設けられることが好ましい。
【００３１】
走査装置５は、試験片２を走査方向Ｙに走査させるものであり、本実施の形態においては、筐体８に対して固定された固定台５０上に、可動台５１を備えている。この可動台５１は、試験片２を下方から支持できるよう平板状に形成されており、走査方向Ｙに往復移動して筐体８の挿入口８０から出没するようになっている。なお、本実施の形態においては、走査方向Ｙは展開方向Ａと平行になっている。
【００３２】
光源１０は、試験片２の上面のうち、少なくともメンブレンシート３０における固定領域３１に励起光Ｌ１を照射するものであり、本実施の形態においては、レーザー光源となっている。このレーザー光源の波長は、使用する色素標識抗体の種類に依存するものの、630nm〜780nmの範囲であることが好ましい。また、光源１０によるメンブレンシート３０の照射光量は２００μＷ程度であることが好ましい。なお、光源１０と試験片２との間には、光源１０から照射された励起光Ｌ１を試験片２に導くための光学系が配設されていても良い。
【００３３】
ラインセンサ４は、ライン状に配列された複数の画素によって光電変換を行う受光センサであり、図中のＸ方向（走査方向Ｙの直交方向）に延在して配設されている。このラインセンサ４は、本発明における検出手段であり、光源１０からの励起光Ｌ１に起因して試験片２で発生する蛍光Ｌ２を検出するようになっている。このようなラインセンサ４として、本実施の形態においてはラインＣＣＤが用いられている。なお、このラインセンサ４と試験片２との間には、試験片２で生じた蛍光Ｌ２をラインセンサ４に導くための光学系が配設されていても良い。
【００３４】
以上の光源１０及びラインセンサ４は遮光ボックス７内に配設されており、光源１０やラインセンサ４に外部の光が当たるのが防止されている。この遮光ボックス７には、光源１０及びラインセンサ４の光軸上に孔部が設けられており、光源１０からの励起光Ｌ１を試験片２に照射させ、試験片２からの蛍光Ｌ２をラインセンサ４に受光させるようになっている。
【００３５】
気化装置６は、試験片２のメンブレンシート３０に含まれる液体を気化させる装置である。この気化装置６は、本実施の形態においては送風機となっており、メンブレンシート３０の上面に風を当てることで、当該メンブレンシート３０に含まれる液体を気化させるようになっている。この気化装置６は、メンブレンシート３０の上面に風を当てることができ、かつ光源１０から試験片２への励起光Ｌ１の光路、及び、試験片２からラインセンサ４へ蛍光Ｌ２の光路に対して干渉しない限りにおいて、任意の位置に配設することができる。
【００３６】
制御部９は、クロマトグラフィー分析装置１の各機能部への指示やデータの転送等を行い、クロマトグラフィー分析装置１を統括的に制御するとともに、種々の演算を行うものである。例えば、この制御部９は、ラインセンサ４からの出力信号に基づいて分析対象物の状態を特定するようになっており、本実施の形態においては、検体中での分析対象物の有無を特定するようになっている。より詳細には、制御部９は、以下の手順（１）〜（３）により分析対象物の有無（陽性・陰性）を特定するようになっている。
【００３７】
即ち、手順（１）として、まず制御部９は、試験片２の非固定領域３００で生じる蛍光の光量に起因してラインセンサ４から出力される信号値と、固定領域３１で生じる蛍光で生じる蛍光の光量に起因してラインセンサ４から出力される信号値とを検出し、後者の信号値から前者の信号値を引く。
【００３８】
次に、手順（２）として、制御部９は、手順（１）の計算結果を、前者の信号値（非固定領域３００で生じる蛍光の光量に起因してラインセンサ４から出力される信号値）で割る。
【００３９】
そして、手順（３）として、制御部９は、手順（２）の計算結果（以下、ＳＢ値とする）を所定の閾値と比較し、閾値よりもＳＢ値が大きい場合には陽性（分析対象物が存在する）、閾値よりもＳＢ値が小さい場合には陰性（分析対象物が存在しない）とする。
【００４０】
ここで、手順（１）で検出される信号値は、メンブレンシート３０が濡れている場合の方が濡れていない場合よりも大きくなる。これは、上述したように、メンブレンシート３０が濡れることで当該メンブレンシート３０における光の透過性が高まり、支持シート３５で生じる自家蛍光Ｌ２（２）の光量が大きくなるためである。一方、分析対象物の量が等しい条件下では、分析対象物から生じる蛍光Ｌ２（０）に起因してラインセンサ４から出力される信号値は、メンブレンシート３０が濡れている場合であっても、メンブレンシート３０が濡れていない場合であっても同一である。
【００４１】
以上により、メンブレンシート３０が濡れていない場合には、メンブレンシート３０が濡れている場合と比較して、分析対象物の検出を高精度に行うことが可能となる。
【００４２】
すなわち、分析対象物の量が等しい条件下において、メンブレンシート３０が濡れていない場合と、メンブレンシート３０が濡れている場合とでラインセンサ４の出力信号値（シート部３で生じる蛍光Ｌ２の光量）を比較すると、前者の出力信号値において自家蛍光Ｌ２（１）、Ｌ２（２）に起因する信号値が占める割合は、後者の出力信号値において自家蛍光Ｌ２（１）、Ｌ２（２）に起因する信号値が占める割合よりも小さくなる。つまり、前者の出力信号値では、分析対象物以外から生じる蛍光、いわばノイズの蛍光に起因する信号値の割合が、後者の出力信号値よりも小さくなる。これにより、メンブレンシート３０が濡れていない場合には、メンブレンシート３０が濡れている場合と比べ、ノイズの蛍光により分析対象物を誤検出してしまうのが防止されるため、分析対象物の検出を高精度に行うことが可能となる。
【００４３】
また、メンブレンシート３０が濡れていない場合には、メンブレンシート３０が濡れている場合と比較して、分析対象物の検出を高感度に行うことが可能となる。
【００４４】
即ち、例えば図４Ａ，図４Ｂに示すように、分析対象物を１０００PFU/mlの濃度で含む陽性の検体溶液（１）（但し、図中では「検体：１」として表記する）と、分析対象物を１００PFU/mlの濃度で含む陰性の検体溶液（２）（但し、図中では「検体：２」として表記する）とを２つずつ用意し、メンブレンシート３０が濡れていない場合と、メンブレンシート３０が濡れている場合とでそれぞれ分析対象物を検出すると、メンブレンシート３０が濡れている状態では検体溶液（１），（２）とも陰性となってしまうのに対し、メンブレンシート３０が濡れていない状態では検体溶液（２）が陰性、検体溶液（１）が陽性となる。
【００４５】
具体的には、図４Ａに示すように、メンブレンシート３０が濡れている状態で検体溶液（２）について手順（１）〜（３）を行うと、まず手順（１）において、非固定領域３００で生じる蛍光の光量に起因してラインセンサ４から出力される信号値が「１００ｍＶ」として検出され、固定領域３１で生じる蛍光で生じる蛍光の光量に起因してラインセンサ４から出力される信号値が「１３０ｍＶ」として検出された後、「１３０ｍＶ−１００ｍＶ」により「３０ｍＶ」が算出される。次に、手順（２）において、「３０ｍＶ／１００ｍＶ」によりＳＢ値「０．３」が算出される。そして、手順（３）においてＳＢ値「０．３」が所定の閾値（ここでは「１．５」とする）よりも小さいと判定され、陰性と決定される。
【００４６】
また、メンブレンシート３０が濡れている状態で検体溶液（１）について手順（１）〜（３）を行うと、まず手順（１）において、非固定領域３００で生じる蛍光の光量に起因してラインセンサ４から出力される信号値が「１００ｍＶ」として検出され、固定領域３１で生じる蛍光で生じる蛍光の光量に起因してラインセンサ４から出力される信号値が「２００ｍＶ」として検出された後、「２００ｍＶ−１００ｍＶ」により「１００ｍＶ」が算出される。次に、手順（２）において、「１００ｍＶ／１００ｍＶ」によりＳＢ値「１」が算出される。そして、手順（３）においてＳＢ値「１」が所定の閾値「１．５」よりも小さいと判定され、陰性と決定される。
【００４７】
一方、図４Ｂに示すように、メンブレンシート３０が濡れていない状態で検体溶液（２）について手順（１）〜（３）を行うと、まず手順（１）において、非固定領域３００で生じる蛍光の光量に起因してラインセンサ４から出力される信号値が「５０ｍＶ」として検出され、固定領域３１で生じる蛍光で生じる蛍光の光量に起因してラインセンサ４から出力される信号値が「８０ｍＶ」として検出された後、「８０ｍＶ−５０ｍＶ」により「３０ｍＶ」が算出される。次に、手順（２）において、「３０ｍＶ／５０ｍＶ」によりＳＢ値「０．６」が算出される。そして、手順（３）においてＳＢ値「０．６」が所定の閾値「１．５」よりも小さいと判定され、陰性と決定される。
【００４８】
また、メンブレンシート３０が濡れていない状態で検体溶液（１）について手順（１）〜（３）を行うと、まず手順（１）において、非固定領域３００で生じる蛍光の光量に起因してラインセンサ４から出力される信号値が「５０ｍＶ」として検出され、固定領域３１で生じる蛍光で生じる蛍光の光量に起因してラインセンサ４から出力される信号値が「１５０ｍＶ」として検出された後、「１５０ｍＶ−５０ｍＶ」により「１００ｍＶ」が算出される。次に、手順（２）において、「１００ｍＶ／５０ｍＶ」によりＳＢ値「２」が算出される。そして、手順（３）においてＳＢ値「２」が所定の閾値「１．５」よりも大きいと判定され、陽性と決定される。
【００４９】
このように、メンブレンシート３０が濡れていない場合には、メンブレンシート３０が濡れている場合と異なり、少量の分析対象物でも陽性とすることができるため、分析対象物の検出を高感度に行うことが可能となる。
【００５０】
続いて、クロマトグラフィー分析装置１を用いた分析処理について、図５を参照しながら説明する。
【００５１】
まず、図５に示すように、試験者が患者から血液などの検体を採取し（ステップＳ１）、当該検体を展開液に溶解させて検体溶液Ｋを生成した後（ステップＳ２）、試験片２に滴下する（ステップＳ３）。より詳細には、このステップＳ３において検体溶液Ｋは試験片２の試料添加窓２１を介してサンプルパッド３２に滴下される。
【００５２】
次に、試験者は、検体溶液Ｋがメンブレンシート３０に展開するまで待機しつつ（ステップＳ４）、試験片２をクロマトグラフィー分析装置１に挿入する。より具体的には、このステップＳ４において試験者は、検体溶液Ｋがメンブレンシート３０における展開方向Ａの上流側（サンプルパッド３２の側）から少なくとも固定領域３１を越えた位置へ展開するまで待機し、好ましくは展開方向Ａの下流側端部（吸収パッド３３側の端部）へ完全に展開するまで待機する。検体溶液Ｋがメンブレンシート３０に完全に展開するには、例えば１５分程度の時間を要する。
【００５３】
次に、制御部９が気化装置６によってメンブレンシート３０に含まれる液体を気化させ、メンブレンシート３０を乾燥させる（ステップＳ５）。これにより、メンブレンシート３０における光の透過性が低下する。なお、乾燥の程度としては、例えばメンブレンシート３０の非固定領域３００で生じる蛍光の光量に起因してラインセンサ４から出力される信号値が「５０ｍＶ」となる程度が好ましい。
【００５４】
そして、制御部９が上述の手順（１）〜（３）を行うことにより、分析対象物の状態を検知する（ステップＳ６）。
【００５５】
より詳細には、このステップＳ６において制御部９は、試験片２におけるメンブレンシート３０の固定領域３１に向かって光源１０に励起光Ｌ１を照射させるとともに、試験片２で生じる蛍光Ｌ２をラインセンサ４に受光させ、当該ラインセンサ４からの出力信号に基づき上述のＳＢ値を算出して、分析対象物の有無を特定する。このとき、上述のステップＳ５においてメンブレンシート３０が乾燥されたことにより、分析対象物の検出感度，検出精度が高められる。
【００５６】
以上のように、本実施形態によれば、メンブレンシート３０に検体溶液Ｋが展開された後、ラインセンサ４が蛍光Ｌ２を検出するまでの間に、当該メンブレンシート３０に含まれる液体が気化装置６によって気化されるので、メンブレンシート３０が濡れている場合と比較して、分析対象物の検出感度、検出精度を高めることができる。
【００５７】
また、気化装置６がメンブレンシート３０の上面に風を当てることで、当該メンブレンシート３０に含まれる液体を気化させるので、メンブレンシート３０に含まれる液体を確実に気化させることができる。
【００５８】
＜変形例＞
続いて、上記の実施形態におけるクロマトグラフィー分析装置１の変形例について説明する。なお、上記実施形態と同様の構成要素には同一の符号を付し、その説明を省略する。
【００５９】
図６に示すように、本実施形態におけるクロマトグラフィー分析装置１Ａは、気化装置６Ａを備えている。
【００６０】
気化装置６Ａは、メンブレンシート３０の下面を熱伝達によって加熱する伝熱ヒーター６０を有している。この伝熱ヒーター６０は、走査装置５の可動台５１を介してシート部３における支持シート３５の下面を加熱し、更にこの支持シート３５を介してメンブレンシート３０の下面を加熱することにより、当該メンブレンシート３０に含まれる液体を気化させるようになっている。なお、本実施の形態においては、伝熱ヒーター６０はペルチェ素子であり、過剰な熱を放熱するためのヒートシンク６１と当接している。
【００６１】
このようなクロマトグラフィー分析装置１Ａにおいても、上記実施形態におけるクロマトグラフィー分析装置１と同様の効果を得ることができる。
【００６２】
なお、本発明を適用可能な実施形態は、上述した実施形態に限定されることなく、本発明の趣旨を逸脱しない範囲で適宜変更可能である。
【００６３】
例えば、上記の実施形態においては、気化装置６はメンブレンシート３０の上面に風を当てたり、可動台５１を介してメンブレンシート３０の下面を加熱したりすることで、当該メンブレンシート３０に含まれる液体を気化させることとして説明したが、メンブレンシート３０を放射熱によって加熱するなど、他の手法によってメンブレンシート３０内の液体を気化させることとしても良い。メンブレンシート３０を放射熱によって加熱する気化装置としては、例えばハロゲンヒーター等を用いることができる。
【００６４】
また、制御部９は分析対象物の有無を特定することとして説明したが、分析対象物の濃度を特定することとしても良いし、他の状態を特定することとしても良い。
【００６５】
また、本発明における検出手段をラインセンサ４として説明したが、エリアセンサやフォトダイオードなど、他の形状の受光センサとしても良い。
【００６６】
なお、明細書、請求の範囲、図面および要約を含む２０１１年１２月１５日に出願された日本語特許出願Ｎｏ．２０１１−２７４１４０号の全ての開示は、そのまま本出願の一部に組み込まれる。
【産業上の利用可能性】
【００６７】
以上のように、本発明は、分析対象物の検出感度を高める必要のあるクロマトグラフィー分析装置及びクロマトグラフィー分析方法に適している。
【符号の説明】
【００６８】
１        クロマトグラフィー分析装置
２        クロマトグラフィー試験片
４        ラインセンサ（検出手段）
６        気化装置（気化手段）
１０      光源
３０      メンブレンシート（膜部材）
３１      固定領域
３５      支持シート（支持部材）
【図１】
0005962666.tif 000002
【図２】
0005962666.tif 000003
【図３Ａ】
0005962666.tif 000004
【図３Ｂ】
0005962666.tif 000005
【図４Ａ】
0005962666.tif 000006
【図４Ｂ】
0005962666.tif 000007
【図５】
0005962666.tif 000008
【図６】
0005962666.tif 000009